(57)【要約】【課題】複数個重ねられたテープカートリッジの中からテープカートリッジを１本簡単に抜き出すことがことができるテープカートリッジを提供する。【解決手段】上ケース２０と下ケース３０を組み合わせて構成されるケース筐体内に回動自在に記録テープを収容して成るなるテープカートリッジ１０であって、下ケース３０の下面または上ケース２０の上面にケース積み重ね用凹部１ｂを有し、かつ上ケース２０の上面または下ケース３０の下面にケース積み重ね用凹部１ｂに嵌まり込むケース積み重ね用凸部１ａが配設されたテープカートリッジ１０において、ケース積み重ね用凹部１ｂをケース筐体の１辺から対向辺まで通じるようにした。【選択図】  図１
2004171676.tif 000002
【特許請求の範囲】
【請求項１】
上ケースと下ケースを組み合わせて構成されるケース筐体内に回動自在に記録テープを収容して成るテープカートリッジであって、上記下ケースの下面または上ケースの上面に該ケース積み重ね用凹部を有し、かつ上ケースの上面または下ケースの下面に前記ケース積み重ね用凹部に嵌まり込むケース積み重ね用凸部が配設されたテープカートリッジにおいて、
前記ケース積み重ね用凹部がケース筐体の１辺から対向辺まで通じていることを特徴とするテープカートリッジ。
【発明の詳細な説明】
【０００１】
【発明の属する技術分野】
本発明は磁気テープカートリッジに関し、特に積み重ね可能な磁気テープカートリッジに関する。
【０００２】
【従来の技術】
従来、コンピュータ等の外部記憶装置に用いられる記録媒体として使用されている磁気テープカートリッジとして、磁気テープを巻装した単一のリールが回転可能にカートリッジケース内に収容されたタイプのものが知られている。
このような単一のリールのタイプは、外部記憶装置にセットされると、リールに巻装された磁気テープが、外部記憶装置側のドライブ機構によってケースから引き出されて、当該外部記憶装置の磁気記録部で情報の記録が行われ、または既に記録された情報が再生部で読み出され、これらの目的を終了した後はテープはリールに巻き戻されてケース内に再び収容されるように構成されている。
【０００３】
図７はこのような磁気テープカートリッジの一例を示す従来公知の分解斜視図である。図７において、磁気テープカートリッジ１０は、上ケース２０と下ケース３０とが締結されるカートリッジケース内に、上リール４１と下リール４２とを結合して成る単一の供給リール４０を回動自在に収容し、かつこの供給リール４０に磁気テープ９を巻装して成るものである。
【０００４】
下リール４２は外周に磁気テープ９が巻回される円筒状のリールハブ４２１と、このリールハブ４２１の下端外周から径方向に張り出したフランジ部４２２とを合成樹脂により一体成型したもので、リールハブ４２１の底部外面に、供給リール４０を回転駆動するマグネット式回転駆動手段を接合させるためのリールプレート５３が取付けられている。
また、リールハブ４２１の底部内面には、ブレーキボタン５２に形成された制止用ギア５２Ａと係合して不使用時の回転を拘束する制止用ギア４２Ａが刻設されている。
さらに、リールハブ４２１には、磁気テープカートリッジ１０を使用する外部記憶装置等の記録再生装置に設けられたドライブ解除スピンドルが挿通されて、ブレーキボタン５２を上方へ移動させるための開口４２Ｂが形成されている。
【０００５】
ブレーキボタン５２は、リールハブ４２１と対向する側に前記制止用ギア５２Ａが形成されており、それとは反対側の面に、上ケース２０に形成されたブレーキガイド突起（図示なし）が嵌合される嵌合溝５２Ｂが形成されている。
そして、ブレーキボタン５２はコイルバネ５１により、図中下方に付勢された状態でリールハブ４２１内部に装着されており、ブレーキボタン５２の制止用ギア５２Ａとリールハブ４２１の制止用ギア４２Ａとが咬み合って供給リール４０の不使用時における回転が防止されている。
【０００６】
一方、カートリッジ使用時は、記録再生装置のドライブ解除スピンドル（図示なし）がブレーキボタン５２を押圧すると、ブレーキボタン５２がコイルバネ５１の付勢力に抗して図中上方へ移動し、これにより制止用ギア５２Ａと制止用ギア４２Ａの係合が解除され、供給リール４０が回転自在とされる。
カートリッジケース１０の一側壁には、磁気テープ９を引き出すための開口部３２が形成されている。開口部３２にはカートリッジケース１０の側壁に平行な方向に移動可能なスライドドア３１が取付けられている。スライドドア３１はバネにより、開口部３２を閉じる方向に付勢されている。
【０００７】
また、長尺の磁気テープ９の一方の端部はリールハブ４２１に固着され、このリールハブ４２１に巻回された外周側の端部である自由端部には、記録再生装置のドライブ機構がテープ９をカートリッジケース１０からスムーズに引き出し、記録再生装置の記録部や再生部等を含むテープ走行経路にテープ９を導入するためのリーダーピン８０が固着されている。
【０００８】
また、ケース筐体の上ケース２０の上面には、下ケース３０の下面の四隅近傍に設けられた積み重ね用凸部３０ａ、３０ｂ、３０ｃ（図示なし）、３０ｄ（図示なし）が嵌合する積み重ね用凹部２０ａ、２０ｂ、２０ｃ、２０ｄ等が形成されている。
【０００９】
【発明が解決しようとする課題】
このような磁気テープカートリッジを多数個、図８（ａ）のように上下に重ねたり、（ｂ）のように横向きに重ねて置く場合があるが、そのように置かれた状態から１つの磁気テープカートリッジを抜き出そうとすると、積み重ね用凹部（例えば、２０ａ）と積み重ね用凸部（例えば、３０ａ）の嵌合が邪魔になって抜き出し難いという欠点があった。
【００１０】
そこで、本発明の目的は、上記欠点を解決するためのもので、磁気テープカートリッジを多数個上下または横向きに重ねて置いた場合でも、その中から１つの磁気テープカートリッジを簡単に抜き出すことができる磁気テープカートリッジを提供することにある。
【００１１】
【課題を解決するための手段】
本発明は、前記課題を解決するもので、請求項１記載の発明によれば、上ケースと下ケースを組み合わせて構成されるケース筐体内に回動自在に記録テープを収容して成るテープカートリッジであって、上記下ケースの下面または上ケースの上面に該ケース積み重ね用凹部を有し、かつ上ケースの上面または下ケースの下面に前記ケース積み重ね用凹部に嵌まり込むケース積み重ね用凸部が配設されたテープカートリッジにおいて、前記ケース積み重ね用凹部がケース筐体の１辺から対向辺まで通じていることを特徴とする。
このような構成にすることにより、抜き出そうとするテープカートリッジをケース筐体の１辺から対向辺まで通じているケース積み重ね用凹部の延長方向に抜き出すことで、簡単に抜き出すことがことができるようになる。
請求項２記載の発明によれば、請求項１記載のテープカートリッジにおいて、前記ケース積み重ね用凹部がケース筐体の対向辺以外の辺にも通じていることを特徴とする。
このような構成にすることにより、テープカートリッジをケース筐体の１辺から対向辺はもちろん、これと直角な方向にも抜き出すことができるようになる。請求項３記載の発明によれば、請求項１または２記載のテープカートリッジにおいて、前記ケース積み重ね用凹部がケース筐体に複数本設けられていることを特徴とする。
このような構成にすることにより、テープカートリッジを上下方向に重ねる場合、天と地が逆になっても安定して重ねることができるようになる。
請求項４記載の発明によれば、請求項１〜３のいずれか１項記載のテープカートリッジにおいて、前記ケース積み重ね用凹部または前記ケース積み重ね用凸部の角部にアールが形成されていることを特徴とする。
このような構成にすることにより、テープカートリッジを抜き出す際に角部に形成されたアールが他の角部の案内機能をするので、ケース積み重ね用凹部の角部と前記ケース積み重ね用凸部の角部とがぶつかって引き抜け難くなるといったことが解消される。
請求項５記載の発明によれば、請求項１〜４のいずれか１項記載のテープカートリッジにおいて、前記ケース積み重ね用凹部または前記ケース積み重ね用凸部の互いに接触する部位に摩擦面が形成されていることを特徴とする。
このような構成にすることにより、積み重ねた状態で何らかの具合で全体が傾斜したとしても、テープカートリッジが溝に沿って自然と抜け出すことが防止される。
【００１２】
【発明の実施の形態】
以下、本発明の磁気テープカートリッジについて、図面を用いて詳細に説明する。
図１は本発明の第１の実施の形態に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を上下に重ねた状態を斜め上から視た俯瞰図である。
図において、１０は磁気テープカートリッジ、１ａは磁気テープカートリッジ１０の上ケース２０に設けられたケース積み重ね用凸部、１ｂは磁気テープカートリッジ１０の下ケース３０に設けられたケース積み重ね用凹部である。ケース積み重ね用凹部１ｂは磁気テープカートリッジ１０の一辺からこれと対向する対向辺まで通じているのが特徴である。一方、このケース積み重ね用凹部１ｂに嵌合するようにケース積み重ね用凸部１ａが磁気テープカートリッジ１０の上ケース２０に設けられている。ケース積み重ね用凸部１ａの方は、必ずしも磁気テープカートリッジ１０の一辺からこれと対向する対向辺まで延在している必要はないが、対向辺まで延在している方が安定性等の点から望ましい。
このような磁気テープカートリッジ１０を２個上下に積み重ねるときは、磁気テープカートリッジ１０のケース積み重ね用凸部１ａの上に他方の磁気テープカートリッジ１０のケース積み重ね用凹部１ｂを嵌合させるように積み重ねればよい。図１（ｃ）はこのようにして積み重ねられた２個の磁気テープカートリッジ１０を示している。
【００１３】
図２（ａ）は、５個の磁気テープカートリッジ１０を横向きに重ねて置いた状態を示している。このように置かれた状態から、（ｂ）のように、図で左から２個目の磁気テープカートリッジ１０を抜き出そうとすると、隣接テープカートリッジ１０の積み重ね用凹部１ｂに沿って磁気テープカートリッジ１０を矢印の方向に引き抜けば、磁気テープカートリッジ１０の積み重ね用凸部１ａが隣接テープカートリッジ１０の積み重ね用凹部１ｂに嵌合した状態で矢印の方向に移動するので、従来のような凹部と凸部が邪魔になって抜き出し難いということが無くなる。
図２は磁気テープカートリッジ１０を横向きに重ねて置いた状態を示したが、磁気テープカートリッジ１０を上下に重ねて置いた状態でも同じで、テープカートリッジ１０の積み重ね用凹部１ｂに沿って引き抜けば、簡単に引き抜くことができる。
【００１４】
図３は本発明の第１の実施の形態の変形例に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を凸部を下に上下に重ねた状態を斜め上から視た俯瞰図である。
図において、１０は磁気テープカートリッジ、１ａは磁気テープカートリッジ１０の上ケース２０に設けられたケース積み重ね用凸部、１ｂは磁気テープカートリッジ１０の下ケース３０に設けられたケース積み重ね用凹部である。ケース積み重ね用凹部１ｂは、磁気テープカートリッジ１０の一辺からこれと対向する対向辺まで通じて成る細溝で、これが２本平行に掘られている。一方、この２本のケース積み重ね用凹部１ｂに嵌合するようにケース積み重ね用凸部１ａが磁気テープカートリッジ１０の上ケース２０に２本平行に設けられている。ケース積み重ね用凸部１ａの方は、必ずしも磁気テープカートリッジ１０の一辺からこれと対向する対向辺まで延在している必要はないが、対向辺まで延在している方が安定性等の点から望ましい。
このような磁気テープカートリッジ１０を２個上下に積み重ねるときは、図１（ｃ）と同じように、磁気テープカートリッジ１０のケース積み重ね用凸部１ａの上に他方の磁気テープカートリッジ１０のケース積み重ね用凹部１ｂを嵌合させるように積み重ねればよい。
しかしながら、この変形例によれば、図１（ｃ）と違って、磁気テープカートリッジ１０のケース積み重ね用凸部１ａを下向きに置いてこの上に他方の磁気テープカートリッジ１０を積み重ねても凸部１ａが２箇所にあるので安定して積み重ねることができる。
このようにこの変形例によれば、テープカートリッジを上下方向に重ねる場合、凸部を上にするといったことを考慮することが不必要となり、テープカートリッジを天と地の向きを気にすることなく安定して重ねることができるようになる。
【００１５】
図４は本発明の第２の実施の形態に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を上下に重ねた状態を斜め上から視た俯瞰図である。
図において、１０’は磁気テープカートリッジ、２ａは磁気テープカートリッジ１０’の上ケース２０’に設けられたケース積み重ね用凸部、２ｂは磁気テープカートリッジ１０’の下ケース３０’に設けられたケース積み重ね用凹部である。ケース積み重ね用凹部２ｂは下ケース３０’の一辺からこれと対向する対向辺まで通じているとともにこの凹部と直交する対辺間にも中心を通って通じている。一方、このケース積み重ね用凹部２ｂの直交部に嵌合するようにケース積み重ね用凸部１ａが磁気テープカートリッジ１０の上ケース２０に設けられている。
また、ここではケース積み重ね用凸部２ａを磁気テープカートリッジ１０’の上ケース２０’に設けられた例を示したが、下ケース３０’に設けても構わない。
このような磁気テープカートリッジ１０’を２個上下に積み重ねるときは、磁気テープカートリッジ１０’のケース積み重ね用凸部２ａの上に他方の磁気テープカートリッジ１０’のケース積み重ね用凹部２ｂの直交部を嵌合させるように積み重ねればよい。図４（ｃ）はこのようにして積み重ねられた２個の磁気テープカートリッジ１０’を示している。
【００１６】
図５（ａ）は、５個の磁気テープカートリッジ１０’を横向きに重ねて置いた状態を示している。このように置かれた状態から、（ｂ）のように、図で左から２個目の磁気テープカートリッジ１０’を抜き出そうとすると、隣接テープカートリッジ１０の積み重ね用凹部１ｂに沿って磁気テープカートリッジ１０’を矢印Ａの方向に引き抜けば、磁気テープカートリッジ１０’の積み重ね用凸部１ａが隣接テープカートリッジ１０の積み重ね用凹部１ｂに嵌合した状態で矢印の方向に移動するので、従来のような凹部と凸部が邪魔になって抜き出し難い、ということが無くなる。
また、（ｂ）のように、図で右から２個目の磁気テープカートリッジ１０’を上方向に抜き出そうとすると、隣接テープカートリッジ１０の積み重ね用凹部１ｂに沿って磁気テープカートリッジ１０’を矢印Ｂの方向に引き抜けば、磁気テープカートリッジ１０’の積み重ね用凸部１ａが隣接テープカートリッジ１０’の積み重ね用凹部１ｂに嵌合した状態で矢印の方向に移動するので、従来のような凹部と凸部が邪魔になって抜き出し難い、ということが無くなる。
このように本発明の第２の実施の形態によれば、テープカートリッジをケース筐体の１辺から対向辺はもちろん、これと直角な方向にも抜き出すことができるようになる。
図５は磁気テープカートリッジ１０’を横向きに重ねて置いた状態を示したが、磁気テープカートリッジ１０’を上下に重ねて置いた状態でも同じで、テープカートリッジ１０’の積み重ね用凹部１ｂに沿って引き抜けば、一方向およびこれと直角な方向にも簡単に引き抜くことができるようになる。
【００１７】
図６は本発明の第２の実施の形態の変形例に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を凸部を下に上下に重ねた状態を斜め上から視た俯瞰図である。
図において、１０’は磁気テープカートリッジ、２ａは磁気テープカートリッジ１０’の上ケース２０’に設けられたケース積み重ね用凸部、２ｂは磁気テープカートリッジ１０’の下ケース３０’に設けられたケース積み重ね用凹部である。ケース積み重ね用凹部２ｂは、磁気テープカートリッジ１０’の一辺からこれと対向する対向辺まで通じて成る細溝で、これが２本平行に掘られている。そしてさらに、これらの溝と直交する方向に磁気テープカートリッジ１０’の一辺からこれと対向する対向辺まで通じて成る細溝２本平行に掘られている。
一方、これらの２本のケース積み重ね用凹部１ｂの４箇所の直交部に嵌合するように、ケース積み重ね用凸部２ａが磁気テープカートリッジ１０’の上ケース２０’に４個設けられている。
このような磁気テープカートリッジ１０’を２個上下に積み重ねるときは、図４（ｃ）と同じように、磁気テープカートリッジ１０’のケース積み重ね用凸部２ａの上に他方の磁気テープカートリッジ１０’のケース積み重ね用凹部２ｂを嵌合させるように積み重ねればよい。
しかしながら、この変形例によれば、図４（ｂ）と違って、磁気テープカートリッジ１０’のケース積み重ね用凸部２ａを図６（ｃ）のように、下向きに置いて、この上に他方の磁気テープカートリッジ１０’を積み重ねても凸部２ａが４箇所にあるので安定して積み重ねることができる。
このようにこの変形例によれば、テープカートリッジを上下方向に重ねる場合、凸部を上にするといったことを考慮することが不必要となり、テープカートリッジを天と地の向きを気にすることなく安定して重ねることができるようになる。
【００１８】
以上の各実施の形態において、さらに、ケース積み重ね用凹部または前記ケース積み重ね用凸部の角部にアールを形成しておくと、互いの角部が接触しても角部のアールの案内で正規の嵌合方向に移動されるので、テープカートリッジをスムーズに抜き出すことが出来るようになる。
【００１９】
また、ケース積み重ね用凸部とケース積み重ね用凹部の形成により、所定の方向に対しては移動可能となっているので、これを少し移動しにくくするため前記ケース積み重ね用凸部と前記ケース積み重ね用凹部の互いに接触する部位に摩擦面を形成しておくことにより、互いに積み重ねた状態で何らかの具合で全体が傾斜したとしても、テープカートリッジが溝に沿って自然と抜け出すことが防止される。
【００２０】
【発明の効果】
本発明の磁気テープカートリッジによれば、上記のように、下ケースの下面または上ケースの上面に該ケース積み重ね用凹部を有し、かつ上ケースの上面または下ケースの下面に前記ケース積み重ね用凹部に嵌まり込むケース積み重ね用凸部が配設されたテープカートリッジにおいて、前記ケース積み重ね用凹部がケース筐体の１辺から対向辺まで通じるようにしたので、複数個重ねられたテープカートリッジの中からテープカートリッジを１本簡単に抜き出すことがことができるようになる。
また、ケース積み重ね用凹部がケース筐体の対向辺以外の辺にも通じるようにすることで、直角な方向にも抜き出すことができるようになる。
そして、このようなケース積み重ね用凹部をケース筐体に複数本設けることにより、テープカートリッジを上下方向に重ねる場合、天と地が逆になっても安定して重ねることができるようになる。
さらに、ケース積み重ね用凹部または前記ケース積み重ね用凸部の角部にアールを形成することにより、テープカートリッジを抜き出す際にスムーズに抜き出すことが出来るようになる。
また、ケース積み重ね用凹部または前記ケース積み重ね用凸部の互いに接触する部位に摩擦面を形成することにより、積み重ねた状態で何らかの具合で全体が傾斜したとしても、テープカートリッジが溝に沿って自然と抜け出すことが防止される。
【図面の簡単な説明】
【図１】本発明の第１の実施の形態に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を上下に重ねた状態を斜め上から視た俯瞰図である。
【図２】図１の磁気テープカートリッジを複数個横向きに重ねて置いた状態を示す斜視図である。
【図３】本発明の第１の実施の形態の変形例に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を凸部を下に上下に重ねた状態を斜め上から視た俯瞰図である。
【図４】本発明の第２の実施の形態に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を上下に重ねた状態を斜め上から視た俯瞰図である。
【図５】図４の磁気テープカートリッジを複数個横向きに重ねて置いた状態を示す斜視図である。
【図６】本発明の第２の実施の形態の変形例に係る磁気テープカートリッジで、（ａ）は磁気テープカートリッジを斜め下から視た仰瞰図、（ｂ）は磁気テープカートリッジを斜め上から視た俯瞰図、（ｃ）はこの磁気テープカートリッジ２個を凸部を下に上下に重ねた状態を斜め上から視た俯瞰図である。
【図７】従来公知の磁気テープカートリッジの一例を示す分解斜視図である。
【図８】図７の磁気テープカートリッジを多数個、上下に重ねたり（ａ）、横向きに重ねて置いた（ｂ）場合の各断面図である。
【符号の説明】
１０、１０’  磁気テープカートリッジ
１ａ、２ａ  積み重ね用凸部
１ｂ、２ｂ  積み重ね用凹部
２０、２０’  上ケース
３０、３０’  下ケース
３１  スライドドア
３２  開口部
４０  単一の供給リール
４１  上リール
４２  下リール
４２Ａ  制止用ギア
４２Ｂ  開口
４２１  円筒状リールハブ
４２２  フランジ部
５１  コイルバネ
５２  ブレーキボタン
５２Ａ  制止用ギア
５２Ｂ  嵌合溝
５３  リールプレート
８０  リーダーピン
【図１】
2004171676.tif 000003
【図２】
2004171676.tif 000004
【図３】
2004171676.tif 000005
【図４】
2004171676.tif 000006
【図５】
2004171676.tif 000007
【図６】
2004171676.tif 000008
【図７】
2004171676.tif 000009
【図８】
2004171676.tif 000010